(57)【要約】  本発明は、改良形移動装置ユーザ・インタフェースを提供する。本発明の態様としては、装置ユーザ・インタフェースを介して到達し得る宛先の少なくとも一部と各チャネルとの関連付け、どのチャネルにどの宛先が割り当てられるのかを示すチャネル表の生成、および移動装置へのチャネル表の表示とは無関係にチャネルを順次変更するための少なくとも１つの制御装置の提供、およびそれによりユーザがＴＶ用リモート・メタファに基づいて宛先を切り替えることができるようにすること等がある。
2008536352.tif 000002
【特許請求の範囲】
【請求項１】
移動装置用ユーザ・インタフェース（ＵＩ）を提供するための方法であって、
前記装置のＵＩを介して到達可能な１つ以上の異種宛先を各チャネルと関連付け、どのチャネルにどの宛先が割り当てられるのかを示すチャネル表を生成するステップと、
同チャネル表の表示とは無関係に、前記チャネルを変更するための少なくとも１つの指向性制御装置を前記移動装置に備え、それにより前記異種宛先が直接変更され得るステップと、
を含む方法。
【請求項２】
前記異種宛先を前記チャネルと自動的に関連付けるステップをさらに含む請求項１に記載の方法。
【請求項３】
ユーザが前記異種宛先を前記チャネルに関連付けることができるようにするステップをさらに含む請求項２に記載の方法。
【請求項４】
前記移動装置にチャネル・アップ・ボタンおよびチャネル・ダウン・ボタンを備えるステップをさらに含み、各異種宛先がチャネル番号と関連し、前記チャネル・アップ・ボタンを押下すると次の数字の大きいチャネルに切り替わり、前記チャネル・ダウン・ボタンを押下すると次の数字の小さいチャネルに切り替わる請求項３に記載の方法。
【請求項５】
移動装置に対して、押下された場合に、前記移動装置の異種宛先および対応するチャネル番号を表示している前記移動装置のディスプレイ上にチャネル・ガイドを表示するチャネル・ガイド・ボタンを備えるステップをさらに含む請求項３に記載の方法。
【請求項６】
前記移動装置上のキーパッドを使用して前記チャネル番号を入力することにより、ユーザが所望のチャネルに直接移動することができるようにするステップをさらに含む請求項５に記載の方法。
【請求項７】
前記チャネル・ガイドを表示するために前記チャネル・ガイド・ボタンを押下することにより、
および前記所望の異種宛先を発見し、前記異種宛先を作動するまで、前記チャネル・ガイドを介してスクロールするために移動装置のナビゲーション・ボタンを使用することにより、ユーザがチャネルを変更することができるようにするステップをさらに含む請求項５に記載の方法。
【請求項８】
下記の異種宛先の任意の組合せを、チャネル、すなわち、電話、カメラ、音楽プレーヤ、フォトギャラリ、電子メール、テキスト・メッセージングおよびＵＲＬと関連付けるステップをさらに含む請求項５に記載の方法。
【請求項９】
ユーザがチャネルを追加および削除することができるようにするために、前記チャネル・ガイド内にラベルを表示するステップをさらに含む請求項８に記載の方法。
【請求項１０】
前記移動装置が、一度に１つのアクティブ宛先だけを作動することができ、チャネルを変更すると、現在の宛先が終了し、選択したチャネルに対応する宛先を呼び出す請求項５に記載の方法。
【請求項１１】
前記移動装置が、複数のアクティブ・チャネルを多重処理することができ、その場合、アクティブ・チャネルが前景に表示され、他のアクティブ・チャネルが背景に表示され、前記チャネル・ガイドが、アクティブ・チャネルだけを表示することができる請求項５に記
載の方法。
【請求項１２】
移動装置であって、
ナビゲーション・ボタン、キーパッド、ディスプレイ、および少なくとも１つのチャネル・ボタンを含むハードウェア・ユーザ・インタフェース構成要素と、
ボタン・イベントおよび前記押下されたボタンのアイデンティティを検出するためにハードウェア・ユーザ・インタフェース構成要素と結合しているボタン・コントローラを含むＩ／Ｏサブシステムと、
前記装置ユーザ・インタフェースを介して到達可能な宛先および複数のチャネルを対応する宛先と関連付けるための記録を含むチャネル表を格納するための記憶装置と、
チャネル・コントローラおよび現在の宛先を含むソフトウェア・プログラムを実行するためのプロセッサと、
を備え、
チャネル・ボタン・イベントの検出に応じて、前記チャネル・コントローラが、前記チャネル表の表示とは無関係に前記チャネル・コントローラが次のチャネルに直接切り替わり、前記対応する宛先を呼び出すべく前記ボタン・コントローラから入力を受信し、ボタンの押下を解釈する移動装置。
【請求項１３】
前記異種宛先が、前記チャネルと自動的に関連付けられる請求項１２に記載の移動装置。
【請求項１４】
ユーザが、前記異種宛先を前記チャネルと関連付けることができる請求項１３に記載の移動装置。
【請求項１５】
前記移動装置が、押下された場合、前記移動装置の異種宛先および前記対応するチャネル番号を表示している前記移動装置のディスプレイ上にチャネル・ガイドを表示するチャネル・ガイド・ボタンをさらに含む請求項１４に記載の移動装置。
【請求項１６】
ユーザが、前記移動装置上のキーパッドを使用して前記チャネル番号を入力することにより、所望のチャネルに直接移動することができる請求項１４に記載の移動装置。
【請求項１７】
前記チャネル・ガイドを表示するために前記チャネル・ガイド・ボタンを押下することにより、および
前記所望の異種宛先を発見し、前記異種宛先を作動するまで、前記チャネル・ガイドを通してスクロールするために前記ナビゲーション・ボタンを使用することにより、
ユーザがチャネルを変更することができる請求項１５に記載の移動装置。
【請求項１８】
下記の異種宛先の任意の組合せが、前記チャネル、すなわち、電話、カメラ、音楽プレーヤ、フォトギャラリ、電子メール、テキスト・メッセージングおよびＵＲＬと関連付けられる請求項１５に記載の移動装置。
【請求項１９】
ユーザがチャネルを追加および削除することができるようにするために、前記チャネル・ガイド内にラベルが表示される請求項１８に記載の移動装置。
【請求項２０】
前記移動装置が、一度に１つのアクティブ宛先だけを作動することができ、チャネルを変更すると、前記現在の宛先が終了し、選択したチャネルに対応する宛先が呼び出される請求項１５に記載の移動装置。
【請求項２１】
前記移動装置が、複数のアクティブ・チャネルを多重処理することができ、その場合、アクティブ・チャネルが前景に表示され、他のアクティブ・チャネルが背景に表示され、前記チャネル・ガイドが、アクティブ・チャネルだけを表示することができる請求項１５に
記載の移動装置。
【請求項２２】
前記チャネル・ケーブル内の前記各記録が、チャネルＩＤおよび前記対応する宛先のＩＤを含む請求項１５に記載の移動装置。
【請求項２３】
移動装置ユーザ・インタフェースを提供するための方法であって、
前記移動装置に少なくとも１つのチャネル制御装置を提供するステップと、
ユーザが、前記装置のユーザ・インタフェースを介して到達可能な宛先を各チャネルに関連付けることができるようにするステップであって、前記関連付けがどの宛先がどのチャネルに割り当てられるのかを示すためのチャネル表に格納されるステップと、
前記チャネル表の表示とは無関係に、前記宛先のうちの１つを選択し、作動するために前記チャネル制御装置を使用して前記チャネル間をユーザがナビゲートすることができるようにするステップとを含む方法。
【請求項２４】
携帯電話を前記移動装置として提供するステップをさらに含む請求項２３に記載の方法。
【請求項２５】
前記移動装置の前記異種宛先を、前記チャネルと自動的に関連付けるステップをさらに含む請求項２４に記載の方法。
【請求項２６】
前記移動装置にチャネル・アップ・ボタンおよびチャネル・ダウン・ボタンを提供するステップをさらに含み、前記チャネル・アップ・ボタンを押下すると、次の大きい数字のチャネルに切り替わり、前記チャネル・ダウン・ボタンを押下すると、次の小さい数字のチャネルに切り替わる請求項２５に記載の方法。
【請求項２７】
移動装置に、押下された場合に、前記移動装置の異種宛先および対応するチャネル番号を表示している前記移動装置のディスプレイ上にチャネル・ガイドを表示するチャネル・ガイド・ボタンを提供するステップをさらに含む請求項２６に記載の方法。
【請求項２８】
前記移動装置上のキーパッドを使用して前記チャネル番号を入力することにより、ユーザが所望のチャネルに直接移動することができるようにするステップをさらに含む請求項２６に記載の方法。
【請求項２９】
前記チャネル・ガイドを表示するために前記チャネル・ガイド・ボタンを押下することにより、および
前記所望の異種宛先を発見し、前記異種宛先を作動するまで、前記チャネル・ガイドを通してスクロールするために、移動装置のナビゲーション・ボタンを使用することにより、
ユーザがチャネルを変更することができるようにするステップをさらに含む請求項２６に記載の方法。
【請求項３０】
下記の異種宛先の任意の組合わせを、チャネル、すなわち、電話、カメラ、音楽プレーヤ、フォトギャラリ、電子メール、テキスト・メッセージングおよびＵＲＬと関連付けるステップをさらに含む請求項２６に記載の方法。
【請求項３１】
ユーザがチャネルを追加および削除することができるようにするために、前記チャネル・ガイド内にラベルを表示するステップをさらに含む請求項３０に記載の方法。
【請求項３２】
前記移動装置が、一度に１つのアクティブ宛先だけを作動することができ、チャネルを変更すると、現在の宛先が終了し、選択したチャネルに対応する前記宛先を呼び出す請求項２６に記載の方法。
【請求項３３】
前記移動装置が、複数のアクティブ・チャネルを多重処理することができ、その場合、アクティブ・チャネルが前景に表示され、他のアクティブ・チャネルが背景に表示され、前記チャネル・ガイドが、アクティブ・チャネルだけを表示することができる請求項２６に記載の方法。
【発明の詳細な説明】
【技術分野】
【０００１】
本発明は、携帯電話に関し、特に、ＴＶ用リモート式ユーザ・インタフェースを備える携帯電話を提供するための方法およびシステムに関する。
【背景技術】
【０００２】
携帯電話、ＰＤＡ、カメラ等のような移動装置は、ますます増大する特徴、機能およびコンテンツを備えている。通常、それぞれは、ユーザが対応する特徴、機能またはコンテンツを作動した場合に呼び出されるアプリケーション・プログラムにより提供される。しかし、ユーザの移動装置の使用方法を研究した結果、ほとんどのユーザは、装置上の特徴、機能および／またはコンテンツのうちの一部しか使用していないことが分かった。
【０００３】
移動装置上の標準グラフィカル・ユーザ・インタフェース（ＧＵＩ）は、ユーザが特徴を発見し、作動することができるようにするために、２つの一般的な方法を使用する。一方の方法は、ユーザが、住所録またはカメラ電話上のカメラ機能のような特定の特徴と関連付けることができる特殊な目的のキーを提供する。他方のＧＵＩ方法は、装置上の特徴（フォルダ、ツリー、メニュー等）を組織するために、階層に関連するメタファを使用する。ウェブは、宛先の生成者が選択した任意の方法で一緒にリンクした一組の宛先を含むもう１つのメタファである。
【０００４】
これら各方法はいくつかの欠点を有する。ある特徴のために「ホット・キーのような」特殊な目的のキーを提供するＧＵＩを使用すれば、ユーザは共通のタスクを迅速に呼び出すことができるが、装置上のスペースが狭いのでこのようなキーを少数しか使用することができない。さらに、通常、これら特殊な目的のボタンはユーザにより構成されない。ユーザにより構成されたとしても、多くのユーザは面倒くさがって、その方法を学ぼうとはしない。
【０００５】
コンピュータの場合に通常使用されるのは、メニュー階層内に機能のリストを内蔵させる方法であるが、現在の多機能移動装置は非常に多くの機能を有しているので、現在の移動装置のＧＵＩの場合、ユーザには、特徴を発見する場所を見つけるのが難しく、装置上にどんな機能が存在するのかを知るのが難しい場合がある。さらに、多くのユーザは、特徴を探索するためにメニュー階層を探査するのを面倒くさがる。何故なら、メニューを探査するのに慣れていないし、特に電話でいつも話をしていて、コンピュータを使用しないユーザは面倒くさがる。また、階層メニューをナビゲートしている場合、自分がメニュー階層のどこにいるのかを知るのがユーザにとって難しい場合がある。同様に、ウェブ上で迷子になりやすいし、特定の宛先にどうやってたどり着いたのかをすぐ忘れてしまう。所望の宛先を探すには、探索およびブックマークを使用しなければならない。
【発明の開示】
【発明が解決しようとする課題】
【０００６】
移動装置用の改良形ユーザ・インタフェースが求められている。
【課題を解決するための手段】
【０００７】
本発明は、改良形移動装置用ユーザ・インタフェースを提供する。本発明の態様としては、移動装置により到達し得る１つ以上の異種宛先と各チャネルとの関連付け、どのチャネルにどの宛先が割り当てられるのかを示すためのチャネル表の生成、およびチャネル表の表示とは無関係にチャネルを順次変更し、それにより、異種宛先をＴＶ用リモート・メタファに基づいて直接変更することができるボタンの移動装置への設置等がある。
【０００８】
宛先は、任意のアプリケーション、ファイル、ウェブページ、またはそのナビゲーション制御により移動装置上で到達し得るその一部である。例えば、ＵＲＬを含む任意の対象物は宛先となることができる。住所録の連絡先入力は宛先となることができる。電話番号のような連絡先入力の要素は、宛先となることができる。局所的にまたは遠隔に格納しているファイルは宛先になることができる。写真アルバム内の画像は宛先になることができる。
【０００９】
チャネルは、順番に並べた一組の宛先内の識別子との宛先の関連を示すために使用するメタファである。テレビのチャネルが、テレビ、ケーブル、またはラジオ上の一組の使用可能な識別子からの識別子と関連しているが、各宛先はあるチャネルを示す。宛先の定義から、現在の装置上のチャネルがすべて同じタイプ、すなわちＴＶ放送、ラジオ放送、ブラウザ・ブックマークのリストの場合のウェブＵＲＬ、およびメニュー項目等であるという点で、ＴＶ、ラジオ等上の一組のチャネルとは反対に、ある順序に並べた一組の宛先は一組の異種のものであってもよいことは明らかである。
【００１０】
本明細書に記載する方法およびシステムによれば、ユーザ・インタフェースは、周知のインタフェース、ユーザに高度の快適さを提供するＴＶ用リモートのメタファを使用し、ＵＩにより、宛先（ａｋａチャネル）にブラウジングおよび直接ナビゲーションすることができ、そうしたい場合またはそうしなければならない場合に、ユーザが従来のＵＩにナビゲートすることができるようにするために、ＵＩを従来のＵＩと一体化することができる。
【発明を実施するための最良の形態】
【００１１】
本発明は、移動装置用ユーザ・インタフェースに関する。下記の説明は、通常の当業者が本発明を構成し、使用することができるようにするためのものであり、特許出願およびその等価物に関連するものである。当業者であれば、本明細書に記述する好ましい実施形態への種々の修正および一般的な原理および機能を容易に理解することができるだろう。それ故、本発明は、図の実施形態に限定されることなく、本明細書に記載する原理および機能と一致する最も広い範囲によるものである。
【００１２】
本発明は、ユーザがよく知っていて、ユーザが所望の宛先に直接移動することができるようにし、よく知っている方法で、ユーザがすべてのアプリケーション、文書、ウェブページおよび他の宛先をブラウズすることができるようにする移動装置上でＧＵＩナビゲーション・システムを提供する。より詳細に説明すると、本発明は、丁度ユーザがＴＶ上でチャネルをサーフするためにリモコンを使用するように、移動装置上の宛先を通してユーザがナビゲートすることができるようにする、テレビ（ＴＶ）リモコン・メタファに基づく移動装置用のユーザ・インタフェースを提供する。
【００１３】
図１は、本発明の好ましい実施形態によるＴＶ用リモート・ユーザ・インタフェースを備える移動装置を提供するためのプロセスを示す流れ図である。プロセスは、移動装置により到達し得る１つ以上の異種宛先が各チャネルと関連付けられるステップ１０から開始する。本明細書で使用する場合、「宛先」という用語は、通常は種々のソフトウェア・アプリケーションにより実施される装置の任意の特徴、機能またはモードに、およびファイル経路およびユニフォーム・リソース・ロケータ（ＵＲＬ）を介してのファイルおよびウェブページの位置に適用することができる。この意味で、宛先は、機能、コンテンツおよびアクセス方法の点で異種のものである。宛先は、そのナビゲーション制御およびメニューを使用する移動装置上に設置することができる上記のもののうちの任意のものである。チャネルは、ある順序で並べた一組の宛先の識別子を含む宛先の関連付けを示すために使用されるメタファである。テレビのチャネルは、テレビ、ケーブル、またはラジオ上の一
組の使用可能な識別子（例えば、Ａ，Ｂ，．．．１，２，３．．．）からの識別子に関連しているが、各宛先はチャネルを示す。関連付けステップは、どのチャネルにどの宛先が割り当てられるのかを示す、本明細書においてはチャネル・ガイドと呼ばれるチャネル表の生成を含む。ステップ１２において、装置に、チャネル表の表示とは無関係に、チャネルを順次変更するための指向性制御装置が提供され、それにより、ユーザは、異種宛先間で直接切替えを行うことができる。好ましい実施形態の場合には、移動装置は、その唯一の目的が、移動装置の状態またはモードが何であれチャネルを変更することである従来のナビゲーション制御ボタンとは別の専用のアップ／ダウンを備える。
【００１４】
図２Ａおよび図２Ｂは、本発明の好ましい実施形態によるＴＶ用リモート式ユーザ・インタフェースを有する移動装置を示すブロック図である。図２Ａは、好ましい実施形態の場合には、携帯電話のような異なる宛先および無線通信を呼び出すことができる多重機能装置である移動装置２０のハードウェア構成要素を示す図面であるが、無線ＰＤＡまたはカメラのようなこのような任意の装置を使用することができる。移動装置２０の標準ハードウェア・ユーザ・インタフェース構成要素は、４方向ナビゲーション・ボタン２２、キーパッド２４、ディスプレイ２６およびソフトキー２８を含む。
【００１５】
好ましい実施形態によれば、移動装置２０は、また、チャネルを変更するためにチャネル・アップ／ダウン・ボタン３０ａおよび３０ｂを単に押下するだけで、ユーザが種々の宛先をブラウズするために使用することができるチャネル・アップ／ダウン・ボタン３０ａおよび３０ｂを備える。移動装置２０は、また、チャネル・ガイド・ボタン３２を備える。図２Ｂに示すように、押下された場合、チャネル・ガイド・ボタン３２は、ディスプレイ２６上にチャネル・ガイド３４を表示する。ディスプレイ２６は、移動装置２０の指定の各宛先３６および対応するチャネル番号またはＩＤ３８を表示する。移動装置上に表示することができる宛先の例としては、電話、カメラ、音楽プレーヤ、フォトギャラリ、電子メール、テキスト・メッセージング、ＵＲＬブックマーク、およびアプリケーション、ウェブページおよびファイル内の宛先を含むローカル・ファイル等がある。チャネル・ガイド３４は、また、対応するソフトキー２８を押下することにより作動される、チャネルを追加および削除するためのソフトキー２８上にラベルを表示することもできる。
【００１６】
いくつかのオプションをチャネル・ガイド３４に提供することができる。１つのオプションにより、チャネル・ガイド３４は、各チャネルの簡単な説明を提供することができる。ケーブル・ガイド・リモート類似の専用「情報」ボタン（図示せず）をこの機能に対して提供することができ、簡単な説明を各機能の隣に表示することができる。もう１つのオプションにより、ユーザが使用する宛先だけが表示されるように、チャネル・ガイド３４が示すチャネルのリストをカスタマイズすることができる。電話またはインターネットＩＳＰのメーカーは、また、新しいサービス、情報および他の宛先が宣伝され、ユーザがそれらを新しいチャネルとして追加することができる特殊なチャネルを提供することができる。同様に、ＩＳＰは、新しい機能およびサービスを宣伝するためだけに、新しいチャネルを追加することができる。ユーザはこれらのチャネルを維持することも、削除することもできる。
【００１７】
ユーザはチャネルを変更することができる。そのためいくつかの方法により宛先を変更することができる。チャネルを変更する１つの方法は、ユーザが、チャネル・アップ／ダウン・ボタン３０ａおよび３０ｂを単に押下するためだけのものである。すでに説明したように、各宛先は、特定のチャネル番号またはＩＤと関連している。チャネル・アップ・ボタンを押下すると、次の数字の大きいチャネルに切り替わり、チャネル・ダウン・ボタンを押下すると、数字の小さいチャネルに切り替わる。図２Ｂにチャネル４として示す、移動装置２０上のフォトギャラリ機能がアクティブ状態にあると仮定した場合、チャネル・アップ・ボタン３０ａを押下すると、チャネル５に切り替わり、電子メール宛先を作動
し、一方、チャネル・ダウン・ボタン３０ｂを押下すると、チャネル３に切り替わり音楽プレーヤ宛先を作動する。
【００１８】
チャネルを変更する第２の方法は、チャネル・ガイド３４を表示するためにチャネル・ガイド・ボタン３２を押下する方法である。４方向ナビゲーション・ボタン２２を使用することにより、または任意に、チャネル・アップ／ダウン・ボタン３０ａおよび３０ｂを使用することにより、所望の特徴を発見するまで、ユーザはチャネル・ガイド３４を通してスクロールすることができる。ユーザがチャネルを通してスクロールすると、各チャネルが強調される。その後で、ユーザは、選択または入力ボタンを押下することにより、強調されたチャネルを作動することができる。図の例の場合には、ユーザはフォトギャラリ機能にスクロールした。フォトギャラリ機能を作動すると、移動装置上に格納している画像が、図２Ａに示すように、ディスプレイ２６に表示される。
【００１９】
チャネルを変更するための第３の方法は、ユーザが、チャネルを通して順次スクロールしなくても、所望のチャネルに対して直接移動することができるキーパッド２４により、所望のチャネル番号またはＩＤを入力するための方法である。移動装置２０は、番号を入力した後で呼出しまたは会話ボタンではなく選択ボタンを押下するようにユーザに要求することにより、ユーザが入力したチャネル番号と入力した電話番号とを区別することができる。移動装置２０は、また、番号の長さおよび入力を受信しない休止時間の長さにより、ユーザが入力したチャネル番号と電話番号とを区別することができる。
【００２０】
図３Ａおよび図３Ｂは、好ましい実施形態によるＴＶ用リモート式ユーザ・インタフェースを実施するための移動装置２０の構成要素を示すブロック図である。移動装置２０は、ソフトウェア・プログラムを実行するためのプロセッサ５０、Ｉ／Ｏサブシステム５２、および記憶装置５４を含む。記憶装置５４は、移動装置２０の特徴を実施するアプリケーション・プログラム６０およびチャネル表６２を含む。
【００２１】
Ｉ／Ｏサブシステム５２は、一組の装置および移動装置２０のためにデータ転送サービスを行うために一緒に動作する一組の装置およびソフトウェア構成要素を参照する。Ｉ／Ｏサブシステム５２は、ボタン・イベントを検出し、押下されたボタンを識別するハードウェア・ユーザ・インタフェース構成要素と結合しているボタン・コントローラ５６を含む。プロセッサ５０上で実行するチャネル・コントローラ５８は、ボタン・コントローラ５６からの入力を受信し、ボタンが押下された状況を解釈する。ボタン・イベントの解釈に基づいて、図４、図５および図６のところで説明するように、チャネル・コントローラ５８は、チャネル表６２にアクセスし、適当な処置をとる。
【００２２】
チャネル表６２は、チャネルを対応する宛先と関連付ける記録を含む。図３Ｂは、チャネル表６２内の記録６４の好ましいフォーマットを示す図面である。好適には、各チャネル記録６４は、チャネルＩＤ６６、表示のためのラベル６８、およびＩＤ、ＵＲＬ、または対応する宛先７０への経路を含むことが好ましい。チャネルＩＤ６６およびチャネルのラベル６８は、チャネル・ガイド内に表示される（図２Ａ）。好ましい実施形態の場合には、ＩＤ、ＵＲＬまたは宛先７０への経路は、すべてユニフォーム・リソース・ロケータ（ＵＲＬ）の形をしている。
【００２３】
第１の好ましい実施形態の場合には、移動装置２０は、一度に１つの宛先７０を稼働することしかできない。この場合、チャネルを変更すると、現在の宛先７０が終了し、選択したチャネルに対応する宛先７０を呼び出す。第２の好ましい実施形態の場合には、移動装置２０は、複数のアクティブ・チャネルを多重処理することができ、その場合、アクティブ・チャネルは前景に位置し、他のチャネルは背景に位置する。この実施形態の場合には、チャネル・ガイド３４は、アクティブ・チャネルだけを表示することができる。多重
処理がサポートされ、チャネルがアクティブ・チャネルおよび非アクティブ・チャネルの両方を通ってナビゲートする実施形態のような他の実施形態も存在する。図４および図５は、装置が一度に１つの宛先だけを呼び出すことができる第１の実施形態によるチャネル切替プロセスを示す図面である。図６は、第２の実施形態による多重処理移動装置によるチャネル切替プロセスを示す図面である。
【００２４】
図４は、第１の実施形態によるチャネル・アップ／ダウン・ボタン３０ａおよび３０ｂによりユーザがチャネルを切り替えた場合、または例えばそれを閉じることにより現在表示されている宛先から単に抜けだした場合に、チャネル・コントローラ５８が行うプロセスを示す流れ図である。好適には、ユーザは、どの宛先７０が現在アクティブ中であっても、任意の時間にチャネル・アップ／ダウン・ボタン３０ａおよび３０ｂによりチャネルを切り替えることができることが好ましい。プロセスはチャネル・コントローラ５８がボタン・コントローラ５６から、チャネル・アップ／ダウン３９イベントが発生したことを示す、または現在の宛先が閉じられたことを示すＩ／Ｏを受信し、イベントを現在の宛先のチャネル終了インジケータであると解釈した場合に、ステップ８０から開始する。これに応じて、ステップ８２において、チャネル・コントローラ５８は、現在のチャネルに非アクティブのマークを付ける。ステップ８４において、チャネル・コントローラ５８は、現在のチャネルおよびチャネルＩ／Ｏイベントの値（アップ対ダウン、または閉鎖動作の場合にはデフォルト方向）に基づいて次のチャネルを決定する。ステップ８６において、現在のチャネルに関連する宛先７０が終了する。ステップ８８において、次のチャネルに関連する宛先７０が呼び出され、表示される。アップ／ダウン３０イベント以外の手段によりチャネルが動作を止めた場合には、次のチャネルが作動し、その場合、次のチャネルが、通常デフォルト・イベント（アップまたはダウン）を示す構成環境により決定される。
【００２５】
図５は、ユーザが第１の実施形態によりチャネル・ガイドを表示した場合に、チャネル・コントローラ５８が行うプロセスを示す流れ図である。好ましい実施形態の場合には、チャネル・ガイド３４は、使用可能なチャネルのリストを表示し、ユーザはチャネルを追加、削除、修正および選択することができる。プロセスは、チャネル・コントローラ５８が、ボタン・コントローラ５６からチャネル・ガイド・ボタン３２イベントが発生したことを示すＩ／Ｏを受信した場合にステップ１００から開始する。ステップ１０２において、チャネル・コントローラ５８は、チャネル表６２にアクセスし、チャネル・ガイド２６を表示する。ステップ１０４において、チャネル・コントローラ５８は、ユーザがチャネルを追加するために「追加」ソフトキーが押下されたかどうかを判定する。チャネル・コントローラ５８が「追加」ボタン・イベントを受信した場合には、ステップ１０６において、所望の宛先へのＵＲＬを提供することにより、宛先を指定するようにとの要求がユーザに対して行われる。ステップ１０８において、チャネル・コントローラ５８は、指定の宛先にチャネルＩＤを割り当てる。チャネルＩＤは、移動装置２０により自動的に、またはユーザが手動により指定の宛先に割り当てられる。一実施形態の場合には、チャネル・ガイド３４を、インターネット・サービス・プロバイダ（ＩＳＰ）のようなサービスからダウンロードすることができる。ステップ１１０において、チャネル・コントローラ５８は、新しいチャネルに対してチャネル記録を作成し、この記録をチャネル表６２に追加する。プロセスは、ステップ１０２において更新したチャネル・ガイド３４を表示することにより継続して行われる。
【００２６】
他の実施形態の場合には、ユーザは、所望の宛先にナビゲートすることができ、次に使用可能なメニューから追加チャネルを選択することができる。宛先には自動的にＩＤが追加され、ラベルが自動的に割り当てられ、またはユーザに対してラベルを提供し、表示のチャネルＩＤを変更するようにとのプロンプトが行われる。
【００２７】
ステップ１１２において、チャネル・コントローラ５８は、ユーザがチャネルを削除するために「削除」ソフトキーが押下されたかどうかを判定する。押下された場合には、ステップ１１４において、チャネル・コントローラ５８は、チャネル表６２から選択したチャネルを削除し、ステップ１０２において更新したチャネル・ガイド３４が表示される。ステップ１１６において、チャネル・コントローラ５８は、ユーザがチャネル・ガイド３４からあるチャネルを選択するために、「選択」または「入力」キーが押下されたかどうかを判定する。押下された場合には、ステップ１１８において、チャネル・コントローラ５８は、チャネルＩＤを使用して、チャネル表６２内の選択したチャネルを探索し、対応する宛先を作動する。ステップ１２０において、チャネル・ガイド３４が表示されている状態でチャネル・ガイド・ボタン３２が押下された場合には、チャネル・ガイドは、チャネル・ガイド３４の動作中止のような他の入力キー・イベントを必要に応じて処理する。
【００２８】
他の実施形態の場合には、ユーザは宛先にナビゲートすることができ、システムは、宛先がチャネル・ガイド内の宛先と一致するかどうかを判定する。一致する場合には、ユーザが関連するチャネルを削除および／または修正することができるメニュー項目が提供される。
【００２９】
図６は、複数の宛先が背景内に位置する多重処理移動装置を使用するチャネル・アップ／ダウン・ボタン３０ａおよび３０ｂを使用して、ユーザがチャネルを切り替えた場合に、チャネル・コントローラ５８が行うプロセスを示す流れ図である。チャネル表６２は、多くのチャネルに対する記録を含むことができるが、好ましい実施形態の場合には、チャネル・アップ／ダウン・ボタン３０を使用してアクティブ・チャネルだけを切り替えることができる。プロセスは、チャネル・コントローラ５８が、チャネル・アップ／ダウン３０イベントが発生したこと、または前景の宛先が終了したことを示すＩ／Ｏをボタン・コントローラ５６から受信した場合にステップ１５０から開始する。ステップ１５２において、チャネル・コントローラ５８は、現在のチャネルおよびチャネルＩ／Ｏイベントの値（アップ対ダウン、または閉鎖イベントの場合にはデフォルト方向）に基づいて次のチャネルを決定し、次の「アクティブ」チャネルを探してチャネル表６２を走査する。ステップ１５４において、次のアクティブ・チャネルは前景に移動し、依然としてアクティブ状態である場合は、現在のチャネルは背景に移動する。
【００３０】
チャネル表のコンテンツを決定するためのもう１つの実施形態は、チャネルが実際の使用方法に基づいて割り当てられるシステムである。頻繁に使用される宛先は、チャネルに自動的に割り当てられる。既存のチャネル割当てを含む宛先が、ある時間の間使用されない場合には、システムはそれを自動的に除去することができる。当業者であれば、チャネル表に入れるために多くの方法を使用することを理解することができるだろう。
【００３１】
ＴＶ用リモート式ユーザ・インタフェースを含む移動装置を提供するための方法およびシステムについて説明してきた。ＴＶ用リモート式ユーザ・インタフェースは下記の利点を有する。１）ＵＩが、ユーザに高度の快適さを提供する周知のインタフェースをベースとしている。２）ＵＩを所望の宛先だけに限定することができる。３）ＵＩはブラウズすることができ、宛先に直接接続することができる。４）そうしたい場合または必要な場合、ユーザが従来の階層ＵＩをナビゲートすることができるように、従来のＵＩと一体化することができる。
【００３２】
図の実施形態により本発明を説明してきたが、通常の当業者であれば実施形態を種々に変更することができること、および任意の変更は本発明の精神および範囲内に含まれることを容易に理解することができるだろう。それ故、通常の当業者であれば、本発明の精神および範囲から逸脱することなしに種々の修正を行うことができる。
【図面の簡単な説明】
【００３３】
【図１】本発明の好ましい実施形態による一組の異種チャネルのユーザ・インタフェースを含む移動装置を提供するためのプロセスを示す流れ図。
【図２Ａ】本発明の好ましい実施形態による一組の異種チャネルのユーザ・インタフェースを有する移動装置を示すブロック図。
【図２Ｂ】本発明の好ましい実施形態による一組の異種チャネルのユーザ・インタフェースを有する移動装置を示すブロック図。
【図３Ａ】好ましい実施形態による一組の異種チャネルのユーザ・インタフェースを実施するための移動装置の構成要素を示すブロック図。
【図３Ｂ】好ましい実施形態による一組の異種チャネルのユーザ・インタフェースを実施するための移動装置の構成要素を示すブロック図。
【図４】ユーザが、第１の実施形態によるチャネル・アップおよびダウン・ボタンを使用してチャネルを切り替えた場合に、チャネル・コントローラが行うプロセスを示す流れ図。
【図５】ユーザが第１の実施形態によるチャネル・ガイドを表示した場合に、チャネル・コントローラが行うプロセスを示す流れ図。
【図６】ユーザが、背景で複数の宛先が稼働する多重処理移動装置内でチャネル・アップおよびダウン・ボタンによりチャネルを切り替えた場合に、チャネル・コントローラが行うプロセスを示す流れ図。
【図１】
2008536352.tif 000003
【図２Ａ】
2008536352.tif 000004
【図２Ｂ】
2008536352.tif 000005
【図３Ａ】
2008536352.tif 000006
【図３Ｂ】
2008536352.tif 000007
【図４】
2008536352.tif 000008
【図５】
2008536352.tif 000009
【図６】
2008536352.tif 000010
【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
移動装置用ユーザ・インタフェース（ＵＩ）を提供するための方法であって、
前記装置のＵＩを介して到達可能な１つ以上の異種宛先を各チャネルと関連付け、どのチャネルにどの宛先が割り当てられるのかを示すチャネル表を生成するステップと、
同チャネル表の表示とは無関係に、前記チャネルを変更するための少なくとも１つの指向性制御装置を前記移動装置に備え、それにより前記異種宛先が直接変更され得るステップと、
を含む方法。
【請求項２】
前記異種宛先を前記チャネルと自動的に関連付けるステップをさらに含む請求項１に記載の方法。
【請求項３】
ユーザ入力を受信して、前記異種宛先を前記チャネルに関連付けることができるようにするステップをさらに含む請求項１または２に記載の方法。
【請求項４】
前記移動装置にチャネル・アップ・ボタンおよびチャネル・ダウン・ボタンを備えるステップをさらに含み、各異種宛先がチャネル番号と関連し、前記チャネル・アップ・ボタンを押下すると次の数字の大きいチャネルに切り替わり、前記チャネル・ダウン・ボタンを押下すると次の数字の小さいチャネルに切り替わる請求項３に記載の方法。
【請求項５】
移動装置に対して、押下された場合に、前記移動装置の異種宛先および対応するチャネル番号を表示している前記移動装置のディスプレイ上にチャネル・ガイドを表示するチャネル・ガイド・ボタンを備えるステップをさらに含む請求項３に記載の方法。
【請求項６】
前記移動装置上のキーパッドを使用して前記チャネル番号を入力することにより、ユーザ入力を受信して、所望のチャネルに直接移動することができるようにするステップをさらに含む請求項５に記載の方法。
【請求項７】
前記チャネル・ガイドを表示するために前記チャネル・ガイド・ボタンを押下することにより、
および前記所望の異種宛先を発見し、前記異種宛先を作動するまで、前記チャネル・ガイドを介してスクロールするために移動装置のナビゲーション・ボタンを使用することにより、ユーザがチャネルを変更することができるようにするステップをさらに含む請求項５に記載の方法。
【請求項８】
下記の異種宛先の任意の組合せを、チャネル、すなわち、電話、カメラ、音楽プレーヤ、フォトギャラリ、電子メール、テキスト・メッセージングおよびＵＲＬと関連付けるステップをさらに含む請求項５に記載の方法。
【請求項９】
ユーザがチャネルを追加および削除することができるようにするために、前記チャネル・ガイド内にラベルを表示するステップをさらに含む請求項８に記載の方法。
【請求項１０】
前記移動装置が、一度に１つのアクティブ宛先だけを作動することができ、チャネルを変更すると、現在の宛先が終了し、選択したチャネルに対応する宛先を呼び出す請求項５に記載の方法。
【請求項１１】
前記移動装置が、複数のアクティブ・チャネルを多重処理することができ、その場合、アクティブ・チャネルが前景に表示され、他のアクティブ・チャネルが背景に表示され、前記チャネル・ガイドが、アクティブ・チャネルだけを表示することができる請求項５に記載の方法。
【請求項１２】
移動装置であって、
ナビゲーション・ボタン、キーパッド、ディスプレイ、および少なくとも１つのチャネル・ボタンを含むハードウェア・ユーザ・インタフェース構成要素と、
ボタン・イベントおよび前記押下されたボタンのアイデンティティを検出するためにハードウェア・ユーザ・インタフェース構成要素と結合しているボタン・コントローラを含むＩ／Ｏサブシステムと、
前記装置ユーザ・インタフェースを介して到達可能な宛先および複数のチャネルを対応する宛先と関連付けるための記録を含むチャネル表を格納するための記憶装置と、
チャネル・コントローラおよび現在の宛先を含むソフトウェア・プログラムを実行するためのプロセッサと、
を備え、
チャネル・ボタン・イベントの検出に応じて、前記チャネル・コントローラが、前記チャネル表の表示とは無関係に前記チャネル・コントローラが次のチャネルに直接切り替わり、前記対応する宛先を呼び出すべく前記ボタン・コントローラから入力を受信し、ボタンの押下を解釈する移動装置。
【請求項１３】
前記異種宛先が、前記チャネルと自動的に関連付けられる請求項１２に記載の移動装置。
【請求項１４】
ユーザ入力を受信して、前記異種宛先を前記チャネルと関連付けることができる請求項１２または１３に記載の移動装置。
【請求項１５】
前記移動装置が、押下された場合、前記移動装置の異種宛先および前記対応するチャネル番号を表示している前記移動装置のディスプレイ上にチャネル・ガイドを表示するチャネル・ガイド・ボタンをさらに含む請求項１４に記載の移動装置。
【請求項１６】
ユーザが、前記移動装置上のキーパッドを使用して前記チャネル番号を入力することにより、所望のチャネルに直接移動することができる請求項１４に記載の移動装置。
【請求項１７】
前記チャネル・ガイドを表示するために前記チャネル・ガイド・ボタンを押下することに
より、および
前記所望の異種宛先を発見し、前記異種宛先を作動するまで、前記チャネル・ガイドを通してスクロールするために前記ナビゲーション・ボタンを使用することにより、
ユーザがチャネルを変更することができる請求項１５に記載の移動装置。
【請求項１８】
下記の異種宛先の任意の組合せが、前記チャネル、すなわち、電話、カメラ、音楽プレーヤ、フォトギャラリ、電子メール、テキスト・メッセージングおよびＵＲＬと関連付けられる請求項１５に記載の移動装置。
【請求項１９】
ユーザがチャネルを追加および削除することができるようにするために、前記チャネル・ガイド内にラベルが表示される請求項１８に記載の移動装置。
【請求項２０】
前記移動装置が、一度に１つのアクティブ宛先だけを作動することができ、チャネルを変更すると、前記現在の宛先が終了し、選択したチャネルに対応する宛先が呼び出される請求項１５に記載の移動装置。
【請求項２１】
前記移動装置が、複数のアクティブ・チャネルを多重処理することができ、その場合、アクティブ・チャネルが前景に表示され、他のアクティブ・チャネルが背景に表示され、前記チャネル・ガイドが、アクティブ・チャネルだけを表示することができる請求項１５に記載の移動装置。
【請求項２２】
前記チャネル・ケーブル内の前記各記録が、チャネルＩＤおよび前記対応する宛先のＩＤを含む請求項１５に記載の移動装置。
【国際調査報告】
2008536352.tif 000011